(57)【要約】【課題】レンズ全長が短く小型でありながら、解像度が高く、比較的高いズーミング比を有し、しかも広角撮影に充分に適応し得る高性能なズームレンズ系、撮像装置及びカメラを提供する。【解決手段】物体側から像側へと順に、負パワーの第１レンズ群と、正パワーの第２レンズ群と、少なくとも１つの後続レンズ群とからなり、撮像時の広角端から望遠端へのズーミングの際に、第１レンズ群、第２レンズ群及び後続レンズ群の少なくともいずれか２つのレンズ群の空気間隔が変化するように光軸に沿ってレンズ群を移動させて変倍を行い、第１レンズ群が物体からの光線を折り曲げる反射面を有するレンズ素子を含み、条件：０．２０＜｜ｆG1｜／ｆT＜０．５２（ｆT／ｆW≧４．０、ｆG1：第１レンズ群の合成焦点距離、ｆT：望遠端での全系の焦点距離、ｆW：広角端での全系の焦点距離）を満足するズームレンズ系、撮像装置及びカメラ。【選択図】図１
2010152143.tif 000002
【特許請求の範囲】
【請求項１】
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）を満足する、ズームレンズ系：
０．２０＜｜ｆG1｜／ｆT＜０．５２  ・・・（１）
（ただし、ｆT／ｆW≧４．０である）
ここで、
ｆG1：第１レンズ群の合成焦点距離、
ｆT：望遠端での全系の焦点距離、
ｆW：広角端での全系の焦点距離
である。
【請求項２】
第２レンズ群の像側に配置された最物体側の後続レンズ群である第３レンズ群が、負のパワーを有する、請求項１に記載のズームレンズ系。
【請求項３】
撮像時の広角端から望遠端へのズーミングの際に、第１レンズ群が光軸に沿って移動しない、請求項１に記載のズームレンズ系。
【請求項４】
第１レンズ群、第２レンズ群及び該第２レンズ群の像側に配置された最物体側の後続レンズ群がいずれも、非球面を有するレンズ素子を少なくとも１枚含む、請求項１に記載のズームレンズ系。
【請求項５】
開口絞りが、第１レンズ群と第２レンズ群との間に配置された、請求項１に記載のズームレンズ系。
【請求項６】
以下の条件（２）を満足する、請求項１に記載のズームレンズ系：
０．２０＜ｆG2／ｆT＜０．６２  ・・・（２）
（ただし、ｆT／ｆW≧４．０である）
ここで、
ｆG2：第２レンズ群の合成焦点距離、
ｆT：望遠端での全系の焦点距離、
ｆW：広角端での全系の焦点距離
である。
【請求項７】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）：
０．２０＜｜ｆG1｜／ｆT＜０．５２  ・・・（１）
（ただし、ｆT／ｆW≧４．０である）
（ここで、
ｆG1：第１レンズ群の合成焦点距離、
ｆT：望遠端での全系の焦点距離、
ｆW：広角端での全系の焦点距離
である）
を満足するズームレンズ系である、撮像装置。
【請求項８】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）：
０．２０＜｜ｆG1｜／ｆT＜０．５２  ・・・（１）
（ただし、ｆT／ｆW≧４．０である）
（ここで、
ｆG1：第１レンズ群の合成焦点距離、
ｆT：望遠端での全系の焦点距離、
ｆW：広角端での全系の焦点距離
である）
を満足するズームレンズ系である、カメラ。
【発明の詳細な説明】
【技術分野】
【０００１】
本発明は、ズームレンズ系、撮像装置及びカメラに関する。特に本発明は、レンズ全長が短く小型でありながら、解像度が高く、４倍以上の比較的高いズーミング比を有し、しかも広角撮影に充分に適応し得る高性能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に近年、収納性や可搬性を最優先した薄型のデジタルカメラが要求されてきている。このような薄型のデジタルカメラを実現するための手段の１つとして、物体からの光線を折り曲げるズームレンズ系が種々提案されている。
【０００３】
特許文献１は、物体より順に、ズーム時に固定で負の屈折力を有する第１レンズ群、ズーム時に固定で屈折力を持たない光路折り曲げのためのプリズムからなる第２レンズ群、ズーム時に移動し正の屈折力を有する第３レンズ群、ズーム時に移動し負の屈折力を有する第４レンズ群、及びズーム時に固定で正の屈折力を有する第５レンズ群を備えたズームレンズを開示している。
【０００４】
特許文献２は、正のレンズ群、負のレンズ群及び絞りを有し、絞りより物体側に負のレンズ群が配置され、負のレンズ群が複数のレンズを接合した接合レンズを有し、該接合レンズを構成する少なくとも１つのレンズについて、その硝材の物性が２つの条件にて特定されており、光学系の光路を屈曲するためのプリズムを有する結像光学系を開示している。
【０００５】
特許文献３は、物体側からの光を撮像素子の像面に結像させる複数のレンズ群を有し、該複数のレンズ群は、物体側から像側に向かって順番に、負パワーを有する第１レンズ群、正パワーを有する第２レンズ群、負パワーを有する第３レンズ群及び正パワーを有する第４レンズ群を少なくとも含み、光軸方向に対し垂直な面内方向において、第２レンズ群が移動することで像面上の結像のブレが補正され、第１レンズ群には光軸変更素子が含まれている変倍光学系を開示している。
【０００６】
特許文献４は、正のレンズ群、負のレンズ群及び絞りを有し、絞りより像面側に負のレンズ群が配置され、負のレンズ群が複数のレンズを接合した接合レンズを有し、該接合レンズを構成する少なくとも１つのレンズについて、その硝材の物性が３つの条件にて特定されており、光学系の光路を屈曲するためのプリズムを有する結像光学系を開示している。
【特許文献１】特開２００８−１９７５９４号公報
【特許文献２】特開２００８−１９１３０６号公報
【特許文献３】特開２００７−２７９１４７号公報
【特許文献４】特開２００７−１０８７１５号公報
【発明の開示】
【発明が解決しようとする課題】
【０００７】
しかしながら、前記特許文献１〜４に開示のズームレンズや光学系はいずれも、薄型でコンパクトなデジタルカメラに適用し得る程度に小型化されたものではあるが、ズーミング比が３倍程度以下と低く、近年のデジタルカメラに対する要求を満足し得るものではない。
【０００８】
本発明の目的は、レンズ全長が短く小型でありながら、解像度が高く、比較的高いズーミング比を有し、しかも広角撮影に充分に適応し得る高性能なズームレンズ系、該ズームレンズ系を含む撮像装置、及び該撮像装置を備えた薄型でコンパクトなカメラを提供することである。
【課題を解決するための手段】
【０００９】
上記目的の１つは、以下のズームレンズ系により達成される。すなわち本発明は、
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）：
０．２０＜｜ｆG1｜／ｆT＜０．５２  ・・・（１）
（ただし、ｆT／ｆW≧４．０である）
（ここで、
ｆG1：第１レンズ群の合成焦点距離、
ｆT：望遠端での全系の焦点距離、
ｆW：広角端での全系の焦点距離
である）
を満足する、ズームレンズ系
に関する。
【００１０】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）：
０．２０＜｜ｆG1｜／ｆT＜０．５２  ・・・（１）
（ただし、ｆT／ｆW≧４．０である）
（ここで、
ｆG1：第１レンズ群の合成焦点距離、
ｆT：望遠端での全系の焦点距離、
ｆW：広角端での全系の焦点距離
である）
を満足するズームレンズ系である、撮像装置
に関する。
【００１１】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、負のパワーを有する第１レンズ群と、正のパワーを有する第２レンズ群と、パワーを有する少なくとも１つの後続レンズ群とからなり、
撮像時の広角端から望遠端へのズーミングの際に、前記第１レンズ群、第２レンズ群及び後続レンズ群のうち、少なくともいずれか２つのレンズ群の空気間隔が変化するように光軸に沿ってレンズ群を移動させて変倍を行い、
前記第１レンズ群が、物体からの光線を折り曲げる反射面を有するレンズ素子を含み、
以下の条件（１）：
０．２０＜｜ｆG1｜／ｆT＜０．５２  ・・・（１）
（ただし、ｆT／ｆW≧４．０である）
（ここで、
ｆG1：第１レンズ群の合成焦点距離、
ｆT：望遠端での全系の焦点距離、
ｆW：広角端での全系の焦点距離
である）
を満足するズームレンズ系である、カメラ
に関する。
【発明の効果】
【００１２】
本発明によれば、レンズ全長（第１レンズ群の最物体側面から像面までの距離）が短く小型でありながら、解像度が高く、４倍以上の比較的高いズーミング比を有し、しかも広角撮影に充分に適応し得る高性能なズームレンズ系、該ズームレンズ系を含む撮像装置、及び該撮像装置を備えた薄型でコンパクトなカメラを提供することができる。
【発明を実施するための最良の形態】
【００１３】
（実施の形態１〜４）
図１、４、７及び１０は、各々実施の形態１〜４に係るズームレンズ系のレンズ配置図である。
【００１４】
図１、４、７及び１０は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１５】
各実施の形態に係るズームレンズ系は、物体側から像側へと順に、負のパワーを有する第１レンズ群Ｇ１と、正のパワーを有する第２レンズ群Ｇ２と、負のパワーを有する第３レンズ群Ｇ３と、正のパワーを有する第４レンズ群Ｇ４とを備える。第１レンズ群Ｇ１中の第２レンズ素子Ｌ２（プリズム）は、物体からの光線を折り曲げる、例えば物体からの軸上主光線を略９０°折り曲げる反射面を有するレンズ素子に相当し、反射面の位置は省略している。なお、各実施の形態に係るズームレンズ系では、反射面を有するレンズ素子がプリズムであるが、該反射面を有するレンズ素子は、例えばミラー素子であってもよい。また、各実施の形態に係るズームレンズ系に配置されたプリズムはいずれも、後述するように、入射面及び出射面とも平面であるが、レンズ構成に応じて入射面及び出射面の少なくとも一方が凸面又は凹面であってもよい。
【００１６】
ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、第２レンズ群Ｇ２及び第３レンズ群Ｇ３は光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１７】
なお図１、４、７及び１０において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第４レンズ群Ｇ４の最像側レンズ面との間）には、光学的ローパスフィルタや撮像素子のフェースプレート等と等価な平行平板Ｐが設けられている。
【００１８】
さらに図１、４、７及び１０において、第２レンズ群Ｇ２の最物体側、すなわち、第１レンズ群Ｇ１と第２レンズ群Ｇ２との間に開口絞りＡが設けられており、該開口絞りＡは、撮像時の広角端から望遠端へのズーミングの際に、第２レンズ群Ｇ２と一体的に光軸上を移動する。
【００１９】
図１に示すように、実施の形態１に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、像側に凸面を向けた負メニスカス形状の第３レンズ素子Ｌ３と、像側に凸面を向けた正メニスカス形状の第４レンズ素子Ｌ４とからなる。これらのうち、第３レンズ素子Ｌ３と第４レンズ素子Ｌ４とは接合されている。また、第１レンズ素子Ｌ１は、その像側面が非球面である。
【００２０】
実施の形態１に係るズームレンズ系において、第２レンズ群Ｇ２は、物体側から像側へと順に、両凸形状の第５レンズ素子Ｌ５と、両凸形状の第６レンズ素子Ｌ６と、両凹形状の第７レンズ素子Ｌ７と、両凸形状の第８レンズ素子Ｌ８とからなる。これらのうち、第６レンズ素子Ｌ６と第７レンズ素子Ｌ７とは接合されている。また、第５レンズ素子Ｌ５及び第８レンズ素子Ｌ８はいずれも、その物体側面が非球面である。
【００２１】
また実施の形態１に係るズームレンズ系において、第３レンズ群Ｇ３は、両凹形状の第９レンズ素子Ｌ９のみからなる。この第９レンズ素子Ｌ９は、その物体側面が非球面である。
【００２２】
また実施の形態１に係るズームレンズ系において、第４レンズ群Ｇ４は、両凸形状の第１０レンズ素子Ｌ１０のみからなる。この第１０レンズ素子Ｌ１０は、その両面が非球面である。
【００２３】
なお、実施の形態１に係るズームレンズ系において、像面Ｓの物体側（像面Ｓと第１０レンズ素子Ｌ１０との間）には、平行平板Ｐが設けられている。
【００２４】
実施の形態１に係るズームレンズ系において、撮像時の広角端から望遠端へのズーミングの際に、第２レンズ群Ｇ２及び第３レンズ群Ｇ３は、望遠端での位置が広角端での位置よりも物体側となるように移動し、第１レンズ群Ｇ１及び第４レンズ群Ｇ４は、像面に対して固定される。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が変化するように、第２レンズ群Ｇ２及び第３レンズ群Ｇ３が光軸に沿ってそれぞれ移動する。
【００２５】
図４に示すように、実施の形態２に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凹形状の第３レンズ素子Ｌ３と、両凸形状の第４レンズ素子Ｌ４とからなる。これらのうち、第３レンズ素子Ｌ３と第４レンズ素子Ｌ４とは接合されている。また、第１レンズ素子Ｌ１は、その像側面が非球面である。
【００２６】
実施の形態２に係るズームレンズ系において、第２レンズ群Ｇ２は、物体側から像側へと順に、両凸形状の第５レンズ素子Ｌ５と、両凸形状の第６レンズ素子Ｌ６と、両凹形状の第７レンズ素子Ｌ７と、両凸形状の第８レンズ素子Ｌ８とからなる。これらのうち、第６レンズ素子Ｌ６と第７レンズ素子Ｌ７とは接合されている。また、第５レンズ素子Ｌ５及び第８レンズ素子Ｌ８はいずれも、その物体側面が非球面である。
【００２７】
また実施の形態２に係るズームレンズ系において、第３レンズ群Ｇ３は、両凹形状の第９レンズ素子Ｌ９のみからなる。この第９レンズ素子Ｌ９は、その物体側面が非球面である。
【００２８】
また実施の形態２に係るズームレンズ系において、第４レンズ群Ｇ４は、両凸形状の第１０レンズ素子Ｌ１０のみからなる。この第１０レンズ素子Ｌ１０は、その両面が非球面である。
【００２９】
なお、実施の形態２に係るズームレンズ系において、像面Ｓの物体側（像面Ｓと第１０レンズ素子Ｌ１０との間）には、平行平板Ｐが設けられている。
【００３０】
実施の形態２に係るズームレンズ系において、撮像時の広角端から望遠端へのズーミングの際に、第２レンズ群Ｇ２及び第３レンズ群Ｇ３は、望遠端での位置が広角端での位置よりも物体側となるように移動し、第１レンズ群Ｇ１及び第４レンズ群Ｇ４は、像面に対して固定される。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が変化するように、第２レンズ群Ｇ２及び第３レンズ群Ｇ３が光軸に沿ってそれぞれ移動する。
【００３１】
図７に示すように、実施の形態３に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、像側に凸面を向けた負メニスカス形状の第３レンズ素子Ｌ３と、像側に凸面を向けた正メニスカス形状の第４レンズ素子Ｌ４とからなる。これらのうち、第３レンズ素子Ｌ３と第４レンズ素子Ｌ４とは接合されている。また、第１レンズ素子Ｌ１は、その像側面が非球面である。
【００３２】
実施の形態３に係るズームレンズ系において、第２レンズ群Ｇ２は、物体側から像側へと順に、両凸形状の第５レンズ素子Ｌ５と、両凸形状の第６レンズ素子Ｌ６と、両凹形状の第７レンズ素子Ｌ７と、両凸形状の第８レンズ素子Ｌ８とからなる。これらのうち、第６レンズ素子Ｌ６と第７レンズ素子Ｌ７とは接合されている。また、第５レンズ素子Ｌ５及び第８レンズ素子Ｌ８はいずれも、その物体側面が非球面である。
【００３３】
また実施の形態３に係るズームレンズ系において、第３レンズ群Ｇ３は、両凹形状の第９レンズ素子Ｌ９のみからなる。この第９レンズ素子Ｌ９は、その物体側面が非球面である。
【００３４】
また実施の形態３に係るズームレンズ系において、第４レンズ群Ｇ４は、両凸形状の第１０レンズ素子Ｌ１０のみからなる。この第１０レンズ素子Ｌ１０は、その両面が非球面である。
【００３５】
なお、実施の形態３に係るズームレンズ系において、像面Ｓの物体側（像面Ｓと第１０レンズ素子Ｌ１０との間）には、平行平板Ｐが設けられている。
【００３６】
実施の形態３に係るズームレンズ系において、撮像時の広角端から望遠端へのズーミングの際に、第２レンズ群Ｇ２及び第３レンズ群Ｇ３は、望遠端での位置が広角端での位置よりも物体側となるように移動し、第１レンズ群Ｇ１及び第４レンズ群Ｇ４は、像面に対して固定される。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が変化するように、第２レンズ群Ｇ２及び第３レンズ群Ｇ３が光軸に沿ってそれぞれ移動する。
【００３７】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凹形状の第３レンズ素子Ｌ３と、両凸形状の第４レンズ素子Ｌ４とからなる。これらのうち、第３レンズ素子Ｌ３と第４レンズ素子Ｌ４とは接合されている。また、第１レンズ素子Ｌ１は、その両面が非球面である。
【００３８】
実施の形態４に係るズームレンズ系において、第２レンズ群Ｇ２は、物体側から像側へと順に、両凸形状の第５レンズ素子Ｌ５と、両凸形状の第６レンズ素子Ｌ６と、両凹形状の第７レンズ素子Ｌ７と、両凸形状の第８レンズ素子Ｌ８とからなる。これらのうち、第６レンズ素子Ｌ６と第７レンズ素子Ｌ７とは接合されている。また、第５レンズ素子Ｌ５及び第８レンズ素子Ｌ８はいずれも、その物体側面が非球面である。
【００３９】
また実施の形態４に係るズームレンズ系において、第３レンズ群Ｇ３は、両凹形状の第９レンズ素子Ｌ９のみからなる。この第９レンズ素子Ｌ９は、その物体側面が非球面である。
【００４０】
また実施の形態４に係るズームレンズ系において、第４レンズ群Ｇ４は、両凸形状の第１０レンズ素子Ｌ１０のみからなる。この第１０レンズ素子Ｌ１０は、その両面が非球面である。
【００４１】
なお、実施の形態４に係るズームレンズ系において、像面Ｓの物体側（像面Ｓと第１０レンズ素子Ｌ１０との間）には、平行平板Ｐが設けられている。
【００４２】
実施の形態４に係るズームレンズ系において、撮像時の広角端から望遠端へのズーミングの際に、第２レンズ群Ｇ２及び第３レンズ群Ｇ３は、望遠端での位置が広角端での位置よりも物体側となるように移動し、第１レンズ群Ｇ１及び第４レンズ群Ｇ４は、像面に対して固定される。すなわち、ズーミングに際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が変化するように、第２レンズ群Ｇ２及び第３レンズ群Ｇ３が光軸に沿ってそれぞれ移動する。
【００４３】
実施の形態１〜４に係るズームレンズ系では、第１レンズ群Ｇ１が、物体からの光線を折り曲げることができる、例えば物体からの軸上主光線を略９０°折り曲げることができる反射面を有する第２レンズ素子Ｌ２（プリズム）を含んでいるので、撮像状態において、ズームレンズ系を物体からの軸上光線の光軸方向に薄く構成することが可能である。
【００４４】
実施の形態１〜４に係るズームレンズ系では、撮像時の広角端から望遠端へのズーミングの際に、第１レンズ群Ｇ１が光軸に沿って移動しないので、該ズームレンズ系を収納するレンズ鏡筒として、ズーミングによる形状変化がないレンズ鏡筒を使用することができ、形状の自由度が高く、かつ耐衝撃性に優れたカメラを製造することが可能である。
【００４５】
実施の形態１〜４に係るズームレンズ系では、第２レンズ群Ｇ２の像側に配置された最物体側の後続レンズ群である第３レンズ群Ｇ３が、負のパワーを有するので、該負のパワーを有する第３レンズ群Ｇ３をズーミング時に移動させて変倍に寄与させることができ、レンズ全長を短く抑えながら、ズーミング比を４倍以上と高くすることができる。
【００４６】
実施の形態１〜４に係るズームレンズ系では、第１レンズ群Ｇ１、第２レンズ群Ｇ２及び該第２レンズ群Ｇ２の像側に配置された最物体側の後続レンズ群である第３レンズ群Ｇ３がいずれも、非球面を有するレンズ素子を少なくとも１枚含む。このように、第１レンズ群Ｇ１に非球面を有するレンズ素子を配置することで、歪曲収差を良好に補正することができ、第２レンズ群Ｇ２に非球面を有するレンズ素子を配置することで、球面収差を良好に補正することができ、第３レンズ群Ｇ３に非球面を有するレンズ素子を配置することで、像面湾曲を良好に補正することができる。
【００４７】
実施の形態１〜４に係るズームレンズ系では、開口絞りＡが第１レンズ群Ｇ１と第２レンズ群Ｇ２との間に配置されているので、第１レンズ群Ｇ１のレンズ有効径を小さくすることができ、反射面を有する第２レンズ素子Ｌ２を含む第１レンズ群Ｇ１を、さらにコンパクトに構成することができる。
【００４８】
なお、実施の形態１〜４に係るズームレンズ系は、第１レンズ群Ｇ１、第２レンズ群Ｇ２、第３レンズ群Ｇ３及び第４レンズ群Ｇ４の４群構成であるが、本発明のズームレンズ系は、負のパワーを有する第１レンズ群、正のパワーを有する第２レンズ群及びパワーを有する少なくとも１つの後続レンズ群で構成される限り、レンズ群の数には特に限定がなく、３群構成であってもよく、４群構成であってもよく、それ以外でもよい。
【００４９】
また、前記したように、最物体側の後続レンズ群である第３レンズ群Ｇ３は負のパワーを有することが好ましいが、各後続レンズ群のパワーにも特に限定がない。
【００５０】
実施の形態１〜４に係るズームレンズ系では、撮像時の広角端から望遠端へのズーミングの際に、第１レンズ群Ｇ１、第２レンズ群Ｇ２、第３レンズ群Ｇ３及び第４レンズ群Ｇ４のうち、第２レンズ群Ｇ２及び第３レンズ群Ｇ３を光軸に沿ってそれぞれ移動させてズーミングを行うが、これら第１レンズ群Ｇ１、第２レンズ群Ｇ２、第３レンズ群Ｇ３及び第４レンズ群Ｇ４のいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００５１】
全系の振動による像点移動を補正する際に、例えば第４レンズ群Ｇ４が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００５２】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００５３】
以下、例えば実施の形態１〜４に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５４】
例えば実施の形態１〜４に係るズームレンズ系のように、物体側から像側へと順に、負のパワーを有する第１レンズ群と、正のパワーを有する第２レンズ群と、パワーを有する少なくとも１つの後続レンズ群とを備え、撮像時の広角端から望遠端へのズーミングの際に、第１レンズ群、第２レンズ群及び後続レンズ群のうち、少なくともいずれか２つのレンズ群の空気間隔が変化するように光軸に沿ってレンズ群を移動させて変倍を行い、第１レンズ群が、物体からの光線を折り曲げる反射面を有するレンズ素子を含む（以下、このレンズ構成を、実施の形態の基本構成という）ズームレンズ系は、以下の条件（１）を満足する。
０．２０＜｜ｆG1｜／ｆT＜０．５２  ・・・（１）
（ただし、ｆT／ｆW≧４．０である）
ここで、
ｆG1：第１レンズ群の合成焦点距離、
ｆT：望遠端での全系の焦点距離、
ｆW：広角端での全系の焦点距離
である。
【００５５】
前記条件（１）は、第１レンズ群の焦点距離と望遠端での全系の焦点距離とに関する条件である。条件（１）の下限を下回ると、第１レンズ群の焦点距離が短くなり、広角端での像面性が悪化する。逆に条件（１）の上限を上回ると、変倍時の第２レンズ群の移動量が大きくなり、レンズ系を小型化することができない。
【００５６】
なお、さらに以下の条件（１）’及び（１）’’の少なくとも１つを満足することにより、前記効果をさらに奏功させることができる。
０．２７＜｜ｆG1｜／ｆT  ・・・（１）’
｜ｆG1｜／ｆT＜０．５０  ・・・（１）’’
（ただし、ｆT／ｆW≧４．０である）
【００５７】
また、前記条件（１）、（１）’及び（１）’’は、以下の条件において満足することがより望ましい。
ｆT／ｆW≧４．３
【００５８】
例えば実施の形態１〜４に係るズームレンズ系のように、基本構成を有するズームレンズ系は、以下の条件（２）を満足することが好ましい。
０．２０＜ｆG2／ｆT＜０．６２  ・・・（２）
（ただし、ｆT／ｆW≧４．０である）
ここで、
ｆG2：第２レンズ群の合成焦点距離、
ｆT：望遠端での全系の焦点距離、
ｆW：広角端での全系の焦点距離
である。
【００５９】
前記条件（２）は、第２レンズ群の焦点距離と望遠端での全系の焦点距離とに関する条件である。条件（２）の下限を下回ると、望遠端での球面収差が悪化する恐れがある。逆に条件（２）の上限を上回ると、変倍時の第２レンズ群の移動量が大きくなり、レンズ系を小型化することが困難になる恐れがある。
【００６０】
なお、さらに以下の条件（２）’を満足することにより、前記効果をさらに奏功させることができる。
０．３１＜ｆG2／ｆT  ・・・（２）’
（ただし、ｆT／ｆW≧４．０である）
【００６１】
また、前記条件（２）及び（２）’は、以下の条件において満足することがより望ましい。
ｆT／ｆW≧４．３
【００６２】
実施の形態１〜４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００６３】
さらに各実施の形態では、像面Ｓの物体側（像面Ｓと第４レンズ群Ｇ４の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００６４】
（実施の形態５）
図１３は、実施の形態５に係るデジタルスチルカメラの概略構成図である。図１３において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１３において、ズームレンズ系１は、第１レンズ群Ｇ１と、開口絞りＡと、第２レンズ群Ｇ２と、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００６５】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１３に示したデジタルスチルカメラには、実施の形態１に係るズームレンズ系の替わりに実施の形態２〜４に係るズームレンズ系のいずれかを用いてもよい。また、図１３に示したデジタルスチルカメラの光学系は、動画像を対象とするデジタルビデオカメラに用いることもできる。この場合、静止画像だけでなく、解像度の高い動画像を撮影することができる。
【００６６】
なお、本実施の形態５に係るデジタルスチルカメラでは、ズームレンズ系１として実施の形態１〜４に係るズームレンズ系を示したが、これらのズームレンズ系は、全てのズーミング域を使用する必要はない。すなわち、所望のズーミング域に応じて、光学性能が確保されている範囲を切り出し、実施の形態１〜４で説明したズームレンズ系よりも低倍率のズームレンズ系として使用してもよい。
【００６７】
また、以上説明した実施の形態１〜４に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【００６８】
以下、実施の形態１〜４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2010152143.tif 000003
ここで、κは円錐定数、Ａ４、Ａ６、Ａ８及びＡ１０は、それぞれ４次、６次、８次及び１０次の非球面係数である。
【００６９】
図２、５、８及び１１は、各々実施の形態１〜４に係るズームレンズ系の縦収差図である。
【００７０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００７１】
また図３、６、９及び１２は、各々実施の形態１〜４に係るズームレンズ系の望遠端における横収差図である。
【００７２】
各横収差図において、上段３つの収差図は、望遠端における像ぶれ補正を行っていない基本状態、下段３つの収差図は、第４レンズ群Ｇ４全体を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第４レンズ群Ｇ４の光軸とを含む平面としている。
【００７３】
なお、各実施例のズームレンズ系について、望遠端における、像ぶれ補正状態での第４レンズ群Ｇ４の光軸と垂直な方向への移動量は、以下に示すとおりである。
実施例１  ０．３２１ｍｍ
実施例２  ０．３２７ｍｍ
実施例３  ０．３８９ｍｍ
実施例４  ０．２７８ｍｍ
【００７４】
撮影距離が∞で望遠端において、ズームレンズ系が０．３°だけ傾いた場合の像偏心量は、第４レンズ群Ｇ４全体が光軸と垂直な方向に上記の各値だけ平行移動するときの像偏心量に等しい。
【００７５】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【００７６】
（数値実施例１）
数値実施例１のズームレンズ系は、図１に示した実施の形態１に対応する。数値実施例１のズームレンズ系の面データを表１に、非球面データを表２に、各種データを表３に示す。
【００７７】
表  １（面データ）
面番号         r           d           nd         vd
物面             ∞
1         65.98770     0.70000     1.80470    41.0 
2*        10.42920     2.15000 
3               ∞     8.70000     1.84666    23.8
4               ∞     2.25880
5         -6.73950     0.40000     1.72916    54.7 
6       -156.11850     1.35690     1.84666    23.8 
7        -13.29920        可変
8(絞り)           ∞    -0.20000
9*         6.96010     2.37360     1.51443    63.3 
10        -58.40670     0.47960 
11         10.60450     2.41110     1.49700    81.6 
12        -13.18500     0.40000     1.80610    33.3 
13         11.01460     0.52340 
14*        14.63870     1.72540     1.51443    63.3 
15        -13.70590        可変
16*       -21.97800     0.70000     1.60602    57.4 
17          7.83670        可変
18*        14.92530     3.19200     1.60602    57.4 
19*       -15.19790     3.00000 
20               ∞     0.90000     1.51680    64.2
21               ∞        (BF)
像面             ∞
【００７８】
表  ２（非球面データ）
第2面
K= 0.00000E+00, A4=-1.49464E-04, A6=-1.58314E-06, A8= 4.17563E-09
A10=-4.79826E-10 
第9面
K=-5.82917E-01, A4= 1.30605E-04, A6= 1.98173E-08, A8= 9.67527E-08
A10= 9.66103E-10 
第14面
K= 0.00000E+00, A4=-1.03877E-03, A6=-5.40190E-06, A8=-9.66942E-07
A10= 0.00000E+00 
第16面
K= 0.00000E+00, A4= 8.21295E-05, A6=-1.49070E-05, A8= 1.34122E-06
A10= 0.00000E+00 
第18面
K= 0.00000E+00, A4= 8.39781E-05, A6=-2.02414E-06, A8=-2.87245E-07
A10= 0.00000E+00 
第19面
K= 0.00000E+00, A4= 4.71514E-04, A6=-1.90431E-05, A8= 0.00000E+00
A10= 0.00000E+00 
【００７９】
表  ３（各種データ）
ズーム比     4.36001
広角      中間      望遠
焦点距離       5.0600   10.9698   22.0617
Ｆナンバー     3.42032   5.37244   6.09970
画角        41.0733   19.4013    9.6628
像高         3.8300    3.8300    3.8300
レンズ全長     54.8694   54.8725   54.8989
ＢＦ        0.36937   0.37248   0.39889
d7          16.8199    8.0052    0.9000 
d15          3.8000    5.5758   13.1619 
d17          2.8093    9.8482    9.3673 
ズームレンズ群データ
群    始面      焦点距離
1       1      -8.20945
2       8      10.00098
3      16      -9.44873
4      18      12.94317
【００８０】
（数値実施例２）
数値実施例２のズームレンズ系は、図４に示した実施の形態２に対応する。数値実施例２のズームレンズ系の面データを表４に、非球面データを表５に、各種データを表６に示す。
【００８１】
表  ４（面データ）
面番号         r           d           nd         vd
物面             ∞
1         20.29870     0.70000     1.80470    41.0 
2*         9.12120     2.30360 
3               ∞     8.76000     1.84666    23.8
4               ∞     1.55580
5         -9.88260     0.40000     1.72916    54.7 
6         18.44150     1.32940     1.84666    23.8 
7        -61.66310        可変
8(絞り)           ∞    -0.20000
9*         8.05600     2.39450     1.51443    63.3 
10        -55.46670     0.30000 
11          9.52760     2.55560     1.49700    81.6 
12        -15.06270     0.40000     1.80610    33.3 
13         14.77460     0.54890 
14*        18.21700     1.79420     1.51443    63.3 
15        -13.27360        可変
16*       -24.99250     0.70000     1.60602    57.4 
17          6.02440        可変
18*        12.16420     2.78040     1.60602    57.4 
19*       -23.38690     3.00000 
20               ∞     0.90000     1.51680    64.2
21               ∞        (BF)
像面             ∞
【００８２】
表  ５（非球面データ）
第2面
K= 0.00000E+00, A4=-4.14435E-05, A6=-1.42629E-06, A8= 8.46111E-08
A10=-1.65884E-09 
第9面
K=-5.37131E-01, A4= 1.10009E-04, A6=-7.66573E-07, A8= 1.26355E-07
A10=-4.74800E-10 
第14面
K= 0.00000E+00, A4=-9.53499E-04, A6=-2.03088E-06, A8=-5.12543E-07
A10= 0.00000E+00 
第16面
K= 0.00000E+00, A4= 2.24120E-04, A6=-2.16424E-05, A8= 2.46375E-06
A10= 0.00000E+00 
第18面
K= 0.00000E+00, A4= 3.24834E-04, A6= 5.65419E-06, A8=-4.96504E-08
A10= 0.00000E+00 
第19面
K= 0.00000E+00, A4= 5.49934E-04, A6=-3.71238E-06, A8= 0.00000E+00
A10= 0.00000E+00 
【００８３】
表  ６（各種データ）
ズーム比     4.49999
広角      中間      望遠
焦点距離       6.1719   10.9699   27.7733
Ｆナンバー     3.41944   4.76199   6.09949
画角        35.3519   19.9384    7.8018
像高         3.8300    3.8300    3.8300
レンズ全長     54.8801   54.8866   54.8404
ＢＦ        0.38005   0.38658   0.34042
d7          16.3236    9.9741    0.9000 
d15          3.8000    5.0398   14.8262 
d17          4.1540    9.2637    8.5514 
ズームレンズ群データ
群    始面      焦点距離
1       1      -8.34735
2       8       9.45624
3      16      -7.94247
4      18      13.60585
【００８４】
（数値実施例３）
数値実施例３のズームレンズ系は、図７に示した実施の形態３に対応する。数値実施例３のズームレンズ系の面データを表７に、非球面データを表８に、各種データを表９に示す。
【００８５】
表  ７（面データ）
面番号         r           d           nd         vd
物面             ∞
1       1001.79760     0.70000     1.80470    41.0 
2*         9.25290     2.32000 
3               ∞     8.76000     1.84666    23.8
4               ∞     2.71790
5         -6.08970     0.40000     1.72916    54.7 
6        -18.90120     1.40010     1.84666    23.8 
7         -9.07790        可変
8(絞り)           ∞    -0.20000
9*         6.77300     3.18120     1.51443    63.3 
10        -39.17620     0.74890 
11         25.31540     2.27680     1.49700    81.6 
12         -7.14450     0.40000     1.80610    33.3 
13         24.66600     0.36590 
14*        25.89720     2.16020     1.51443    63.3 
15        -10.29080        可変
16*       -21.97800     0.70000     1.60602    57.4 
17         11.59350        可変
18*        26.58070     2.51440     1.60602    57.4 
19*       -12.51780     3.00000 
20               ∞     0.90000     1.51680    64.2
21               ∞        (BF)
像面             ∞
【００８６】
表  ８（非球面データ）
第2面
K= 0.00000E+00, A4=-2.01792E-04, A6=-4.37333E-06, A8= 1.66380E-08
A10=-5.75782E-10 
第9面
K=-5.49906E-01, A4= 1.24190E-04, A6= 1.47047E-06, A8=-9.51055E-09
A10= 6.33967E-09 
第14面
K= 0.00000E+00, A4=-8.48846E-04, A6=-2.27336E-06, A8=-5.96615E-07
A10= 0.00000E+00 
第16面
K= 0.00000E+00, A4=-1.72324E-04, A6=-2.88270E-05, A8= 1.58378E-06
A10= 0.00000E+00 
第18面
K= 0.00000E+00, A4=-4.38292E-05, A6= 1.49332E-05, A8= 1.80473E-07
A10= 0.00000E+00 
第19面
K= 0.00000E+00, A4= 1.67595E-04, A6= 2.25549E-05, A8= 0.00000E+00
A10= 0.00000E+00 
【００８７】
表  ９（各種データ）
ズーム比     4.04998
広角      中間      望遠
焦点距離       4.3500    7.4474   17.6174
Ｆナンバー     3.42015   4.79568   6.09994
画角        42.9474   26.2633   11.3236
像高         3.6000    3.6000    3.6000
レンズ全長     56.8964   56.8410   56.8992
ＢＦ        0.39644   0.34098   0.39923
d7          17.7546   11.1758    0.9000 
d15          3.8000    3.7257    8.9165 
d17          2.6000    9.2531   14.3381 
ズームレンズ群データ
群    始面      焦点距離
1       1      -8.49995
2       8      10.91766
3      16     -12.42629
4      18      14.39184
【００８８】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【００８９】
表  １０（面データ）
面番号         r           d           nd         vd
物面             ∞
1*        32.16900     0.50000     1.85976    40.6 
2*         8.84280     2.40000 
3               ∞     8.20000     1.90366    31.3
4               ∞     1.65900
5         -8.81320     0.40000     1.72916    54.7 
6         46.52790     1.38800     1.84666    23.8 
7        -19.52110        可変
8(絞り)           ∞    -0.20000
9*         7.44880     3.63340     1.51443    63.3 
10        -27.36940     0.35780 
11         11.74260     2.11680     1.49700    81.6 
12        -13.21450     0.40000     1.80610    33.3 
13         11.19570     0.42130 
14*        12.64190     1.79540     1.51443    63.3 
15        -15.80390        可変
16*       -22.33870     1.00000     1.60602    57.4 
17          6.88070        可変
18*        11.22100     3.27260     1.60602    57.4 
19*       -17.08940     3.00000 
20               ∞     0.90000     1.51680    64.2
21               ∞        (BF)
像面             ∞
【００９０】
表  １１（非球面データ）
第1面
K= 0.00000E+00, A4=-1.01669E-04, A6= 6.67457E-06, A8=-5.20404E-08
A10= 0.00000E+00 
第2面
K= 0.00000E+00, A4=-2.01288E-04, A6= 4.19898E-06, A8= 1.75627E-07
A10=-2.12548E-09 
第9面
K= 4.31402E-01, A4=-2.47963E-04, A6=-8.89222E-06, A8= 2.13615E-07
A10=-9.80776E-09 
第14面
K= 0.00000E+00, A4=-7.68546E-04, A6=-2.35540E-06, A8=-4.09337E-07
A10= 0.00000E+00 
第16面
K= 0.00000E+00, A4= 1.09701E-04, A6= 1.20136E-05, A8=-1.27262E-06
A10= 0.00000E+00 
第18面
K= 0.00000E+00, A4= 2.30030E-04, A6= 7.28810E-07, A8=-2.88100E-07
A10= 0.00000E+00 
第19面
K= 0.00000E+00, A4= 7.77861E-04, A6=-2.13214E-05, A8= 0.00000E+00
A10= 0.00000E+00 
【００９１】
表  １２（各種データ）
ズーム比     4.35970
広角      中間      望遠
焦点距離       5.0600   10.9688   22.0602
Ｆナンバー     3.42015   5.33715   6.09987
画角        40.1023   19.5124    9.6954
像高         3.7300    3.8300    3.8300
レンズ全長     54.8782   54.8645   54.8790
ＢＦ        0.37823   0.36451   0.37897
d7          17.0557    8.0561    0.9000 
d15          3.6000    5.5359   12.7897 
d17          2.6000    9.6637    9.5660 
ズームレンズ群データ
群    始面      焦点距離
1       1      -8.37748
2       8      10.04190
3      16      -8.56958
4      18      11.68678
【００９２】
以下の表１３に、各数値実施例のズームレンズ系における各条件の対応値を示す。
【００９３】
表  １３（条件の対応値）
【表１】
2010152143.tif 000004
【産業上の利用可能性】
【００９４】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【図面の簡単な説明】
【００９５】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５に係るデジタルスチルカメラの概略構成図
【符号の説明】
【００９６】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子（プリズム）
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ａ      開口絞り
Ｐ      平行平板
Ｓ      像面
１      ズームレンズ系
２      撮像素子
３      液晶モニタ
４      筐体
【図１】
2010152143.tif 000005
【図２】
2010152143.tif 000006
【図３】
2010152143.tif 000007
【図４】
2010152143.tif 000008
【図５】
2010152143.tif 000009
【図６】
2010152143.tif 000010
【図７】
2010152143.tif 000011
【図８】
2010152143.tif 000012
【図９】
2010152143.tif 000013
【図１０】
2010152143.tif 000014
【図１１】
2010152143.tif 000015
【図１２】
2010152143.tif 000016
【図１３】
2010152143.tif 000017